(57)【要約】【課題】鏡面の前方に向かって発光することができるだけでなく、鏡面よりも下方に向かって発光することもでき、その上、発光部を移動させることができるミラーキャビネットを提供する。【解決手段】本発明は、キャビネット本体２にセンターミラー３とサイドミラー４とが設けられたミラーキャビネット１である。ミラーキャビネット１は、鏡付き板部４１と、一端がキャビネット本体２の左右方向の端部に回動自在に連結され且つその他端が鏡付き板部４１の中央側端部４３に回動自在に連結される支持連結部４２と、鏡付き板部４１の中央側端部４３に設けられた棒状照明具５とを備えている。棒状照明具５は、鏡付き板部４１の上下方向に沿った発光領域を有する線状発光部５４と、鏡付き板部４１の下方に向かって発光するスポット発光部５５とを有している。【選択図】図１
2014030608.tif 000002
【特許請求の範囲】
【請求項１】
キャビネット本体の前方にセンターミラーとサイドミラーとが開閉自在に設けられたミラーキャビネットであって、
前記サイドミラーは、
閉じた状態において幅方向のうち前記センターミラー側の端部が中央側端部として定義されるものであり、
当該サイドミラーは、
鏡面を有する鏡付き板部と、
一端が前記キャビネット本体の左右方向の端部に回動自在に連結され且つその他端が前記鏡付き板部の前記中央側端部に回動自在に連結され、これにより前記鏡付き板部を支持する支持連結部と、
前記鏡付き板部の前記中央側端部の端縁に沿って設けられた棒状照明具と
を備え、
前記棒状照明具は、
前記鏡付き板部の上下方向に沿った発光領域を有する線状発光部と、
前記鏡付き板部の下方に向かって発光するスポット発光部と
を有している
ことを特徴とするミラーキャビネット。
【発明の詳細な説明】
【技術分野】
【０００１】
本発明は、ミラーキャビネットに関する。
【背景技術】
【０００２】
特許文献１には、従来のミラーキャビネットが開示されている。この特許文献１記載のミラーキャビネットは、中央のミラー扉と、両側のミラー扉と、導光板と、ＬＥＤとを備えている。導光板は、中央のミラー扉と両側のミラー扉との間に配置されている。導光板は、前面に光出射面を有している。また、導光板は、光入射面を有している。ＬＥＤは、光入射面から光を入射させるよう、導光板に隣接配置されている。
【先行技術文献】
【特許文献】
【０００３】
【特許文献１】特開２０１１−１５２２２９号公報
【発明の概要】
【発明が解決しようとする課題】
【０００４】
ところで、この特許文献１記載のミラーキャビネットは、中央のミラー扉と両側のミラー扉との間から、前方に向かって発光するだけのものに過ぎない。このため、ユーザーは、ミラーキャビネットの下方で作業を行なう場合、手元が暗くて作業しにくい場合がある。
【０００５】
また、この特許文献１記載のミラーキャビネットは、導光板がミラーキャビネットの本体に固定されている。このため、ユーザーは、発光部を移動させて所望の部位に光を強く当てたい場合でも、発光部を近づけることができない。
【０００６】
本発明は、上記事情に鑑みてなされたものであり、その目的とするところは、鏡面の前方に向かって発光することができるだけでなく、鏡面よりも下方に向かって発光することもでき、その上、発光部を移動させることができるミラーキャビネットを提供することにある。
【課題を解決するための手段】
【０００７】
本発明のミラーキャビネットは、キャビネット本体の前方にセンターミラーとサイドミラーとが開閉自在に設けられたミラーキャビネットであって、前記サイドミラーは、閉じた状態において幅方向のうち前記センターミラー側の端部が中央側端部として定義されるものであり、当該サイドミラーは、鏡面を有する鏡付き板部と、一端が前記キャビネット本体の左右方向の端部に回動自在に連結され且つその他端が前記鏡付き板部の前記中央側端部に回動自在に連結され、これにより前記鏡付き板部を支持する支持連結部と、前記鏡付き板部の前記中央側端部の端縁に沿って設けられた棒状照明具とを備え、前記棒状照明具は、前記鏡付き板部の上下方向に沿った発光領域を有する線状発光部と、前記鏡付き板部の下方に向かって発光するスポット発光部とを有していることを特徴とする。
【発明の効果】
【０００８】
本発明のミラーキャビネットによれば、鏡面の前方に向かって発光することができるだけでなく、鏡面よりも下方に向かって発光することもでき、その上、発光部を移動させることができる。
【図面の簡単な説明】
【０００９】
【図１】本実施形態の洗面化粧台の斜視図である。
【図２】本実施形態の洗面化粧台のサイドミラーが開いた状態の要部斜視図である。
【図３】本実施形態の洗面化粧台のサイドミラーが開いた状態の要部斜視図である。
【図４】本実施形態の棒状照明具であり（ａ）は側面図であり（ｂ）は背面図である。
【図５】本実施形態の洗面化粧台のサイドミラーが閉じた状態の要部斜視図である。
【発明を実施するための形態】
【００１０】
以下、本発明の実施形態について添付図面に基づいて説明する。
【００１１】
本実施形態のミラーキャビネット１は、洗面化粧台に用いられる。洗面化粧台は、図１に示されるように、ミラーキャビネット１と、ボウル部６と、下部キャビネット７とを備えている。
【００１２】
ミラーキャビネット１は、キャビネット本体２と、センターミラー３と、サイドミラー４とを備えている。キャビネット本体２は、前方に向かって開口した箱形状をしている。キャビネット本体２は、センターミラー３に対応する箇所に設けられた中央収納部２１と、サイドミラー４に対応する箇所に設けられた側方収納部２２とを備えている。側方収納部２２は、中央収納部２１の両側方に設けられている。中央収納部２１と側方収納部２２との間には、縦板（図示せず）が設けられている。中央収納部２１および側方収納部２２には、それぞれ複数の収納棚（図示せず）が設けられている。収納棚には、歯ブラシや小物等の収納物が収納される。
【００１３】
センターミラー３は、中央収納部２１の前方開口を開閉できるようになっている。言い換えると、センターミラー３は、キャビネット本体２の前方に開閉自在に設けられている。センターミラー３は、前面に鏡面３１を有している。センターミラー３は、正面視において、キャビネット本体２の左右方向の中央に配置されている。センターミラー３は、上下方向に長さを有し、左右方向に幅を有し、これにより正面視矩形状をしている。センターミラー３は、幅方向において正面視左側の端部に軸部（図示せず）を有している。センターミラー３は、軸部を介してキャビネット本体２に軸支されている。
【００１４】
サイドミラー４は、側方収納部２２の前方開口を開閉できるようになっている。言い換えると、サイドミラー４は、キャビネット本体２の前方に開閉自在に設けられている。サイドミラー４は、図２に示されるように、鏡付き板部４１と、支持連結部４２と、棒状照明具５とを備えている。サイドミラー４は、鏡付き板部４１と支持連結部４２とが折り重ねられた状態で、側方収納部２２の前方開口を閉塞する。
【００１５】
サイドミラー４は、側方収納部２２の前方開口を閉じた状態において、鏡付き板部４１の幅方向のうちのセンターミラー３側の端部が、中央側端部４３として定義される。
【００１６】
鏡付き板部４１は、側方収納部２２の前方開口の外縁と略同じ外形となるよう形成されている。鏡付き板部４１は、上下方向に長さを有し、左右方向に幅を有し、これにより正面視矩形状をしている。鏡付き板部４１は鏡面４１０を有している。鏡付き板部４１は、側方収納部２２を閉じた状態において、鏡面４１０が前面に位置する。鏡付き板部４１は、側方収納部２２を閉じた状態で、センターミラー３に隣接配置される。鏡付き板部４１は、側方収納部２２の前方開口に、支持連結部４２を介して開閉自在に取り付けられている。
【００１７】
支持連結部４２は、鏡付き板部４１を支持する。支持連結部４２は、水平方向に幅を有し、上下方向に長さを有し、正面視矩形状をしている。支持連結部４２は、鏡付き板部４１と同形同大に形成された板状体である。つまり、支持連結部４２の幅方向の長さは、鏡付き板部４１の幅方向の長さと略同じ長さである。
【００１８】
支持連結部４２は、鏡付き板部４１とキャビネット本体２とを連結する。支持連結部４２の幅方向のうち、キャビネット本体２に連結された側の端部は、第一端部４２１として定義される。支持連結部４２の幅方向のうち、鏡付き板部４１に連結された側の端部は、第二端部４２２として定義される。支持連結部４２の第一端部４２１には、第一軸支部４２３が設けられている。第一軸支部４２３は、支持連結部４２とキャビネット本体２の左右方向のいずれかの端部とを回動自在に連結する。より詳しく説明すると、正面視右側の鏡付き板部４１を支持する支持連結部４２は、キャビネット本体２の右側の端部に第一軸支部４２３を介して連結されている。正面視左側の鏡付き板部４１を支持する支持連結部４２は、キャビネット本体２の左側の端部に第一軸支部４２３を介して連結されている。また、支持連結部４２の第二端部４２２には、第二軸支部４２４が設けられている。第二軸支部４２４は、支持連結部４２と鏡付き板部４１の中央側端部４３とを回動自在に連結する。言い換えると、支持連結部４２は、一端が前記キャビネット本体２の左右方向の端部に回動自在に連結され、且つ、その他端が鏡付き板部４１の中央側端部４３に回動自在に連結される。
【００１９】
支持連結部４２は、鏡付き板部４１が側方収納部２２を閉じると、鏡付き板部４１の裏側に位置するよう配置される。この状態で、支持連結部４２において側方収納部２２側に向く面は内側面として定義される。また、支持連結部４２において鏡付き板部４１側に向く面は外側面として定義される。支持連結部４２の内側面には、図３に示されるように、鏡面４２０が設けられている。
【００２０】
また、鏡付き板部４１が側方収納部２２を閉じると、支持連結部４２の外側面と、鏡付き板部４１の鏡面４１０とは反対側の面（裏面）とが近接対向又は当接する。この状態から、鏡付き板部４１が前方に引き出されると、支持連結部４２の外側面と、鏡付き板部４１の裏面とは、離れるように移動する。鏡付き板部４１は、支持連結部４２に重ねられた状態から、鏡付き板部４１の鏡面４１０と、支持連結部４２の鏡面４２０（内側面）とが、同一平面上に位置するまでの範囲で、支持連結部４２に対して回動するようになっている。
【００２１】
この鏡付き板部４１の中央側端部４３の端縁には、棒状照明具５が取り付けられている。
【００２２】
棒状照明具５は、図５に示されるように、サイドミラー４が閉じられた状態において、センターミラー３とサイドミラー４との間に設けられている。棒状照明具５は、サイドミラー４が側方収納部２２を閉じた状態で、鏡面４１０，３１の前方に向かって発光し、且つ、鏡付き板部４１よりも下方に向かって発光する。棒状照明具５は、導光部材５１と、光源５６とを備えている。
【００２３】
導光部材５１は、光源５６から発せられた光を内部に取り込み、線状発光部５４およびスポット発光部５５から光を発する。導光部材５１は、サイドミラー４が側方収納部２２を閉じた状態において、上下方向に長さを有し、左右方向に幅を有し、且つ前後方向に厚みを有しており、これにより棒状に形成されている。導光部材５１は、鏡付き板部４１の上下方向の略全長に亙った長さに形成されている。導光部材５１は、鏡付き板部４１と支持連結部４２との間に固定されている。導光部材５１は、サイドミラー４が側方収納部２２を閉じると、センターミラー３と右側のサイドミラー４との間と、センターミラー３と左側のサイドミラー４との間とに、それぞれ配置される。導光部材５１は、図４に示されるように、入射面５２と、光拡散部５３と、線状発光部５４と、スポット発光部５５とを備えている。
【００２４】
入射面５２は、導光部材５１の長手方向の端面に設けられている。入射面５２は、導光部材５１の上端面に設けられている。入射面５２は、光源５６から発せられた光が導光部材５１内に入射するための面である。
【００２５】
光拡散部５３は、導光部材５１の長辺に沿った面に設けられている。光拡散部５３は、鏡付き板部４１が側方収納部２２を閉じると、キャビネット本体２側に臨んでいる。光拡散部５３は、入射面５２から導光部材５１内に入射した光を導光部材５１内で拡散させる。本実施形態の光拡散部５３は、例えば、正面視三角形状に形成されている。光拡散部５３は、導光部材５１の長手方向において入射面５２から離れる側に向かうほど、幅広となるよう形成されている。光拡散部５３は、例えば、シボ加工や、ドット印刷などにより形成される。
【００２６】
なお、光拡散部５３は、入射面５２から離れる程、面積が大きくなっているのが好ましいが、三角形状に限定されるものではない。例えば、光拡散部５３は、円状や矩形状などの部分的に設けられた導光パターンが、入射面５２から離れる側に向かうほど、大きな面積となるよう形成されていてもよい。
【００２７】
線状発光部５４は、導光部材５１の光拡散部５３とは反対側の面に設けられている。線状発光部５４は、鏡付き板部４１の中央側端部４３に沿うようにして上下に長く発光する発光領域を形成する。また、線状発光部５４は、光拡散部５３とは反対側の面に設けられており、鏡付き板部４１が側方収納部２２を閉じると、前方側に臨むよう配置される。線状発光部５４からは、光拡散部５３により拡散した光が導光部材５１内から出射する。線状発光部５４は、鏡付き板部４１が側方収納部２２を閉じた状態においては、例えば、前方斜め中央側に臨み、センターミラー３の前に立つユーザーに対して光を当てるように向けられている。なお、線状発光部５４は、鏡面４１０に直角な方向に臨んだ状態で固定されてもよいし、導光部材５１の鏡面４１０に対する角度を変えることで、鏡面４１０に対する角度が調整可能となっていてもよい。
【００２８】
スポット発光部５５は、導光部材５１の下端面に設けられている。スポット発光部５５は、図５に示されるように、鏡付き板部４１よりも下方に向かって光を発する。これにより、スポット発光部５５は、ミラーキャビネット１の下方に位置するボウル部６に光を照射する。
【００２９】
光源５６は、導光部材５１の長手方向の上端部に配置されている。光源５６は、指向性を有している。光源５６の発光方向の先端側は、入射面５２に臨んでいる。これにより、光源５６から発せられた光は、入射面５２から導光部材５１内に入射するようになっている。光源５６は、例えば、ＬＥＤ（Light Emitting Diode）により構成されている。光源５６は、基板に取り付けられている。
【００３０】
光源５６から光が発せられると、その光は、入射面５２を介して導光部材５１内に入射する。入射面５２から入射した光は、導光部材５１の内面に全反射を繰り返し、導光部材５１の長手方向において入射面５２とは反対側の端面に向かって進行する。進行する光の一部は、光拡散部５３に反射して拡散する。光拡散部５３により拡散した光は、線状発光部５４に向かって反射する。この後、光は、線状発光部５４を介して導光部材５１から出射する。
【００３１】
また、入射した光のうち、線状発光部５４から出射しなかった光は、導光部材５１の内面に全反射を繰り返して入射面５２とは反対側の端面に向かって進行し、スポット発光部５５から出射する。
【００３２】
ボウル部６は、図１に示されるように、ミラーキャビネット１の下方に配置されている。ボウル部６は、例えば、白色の合成樹脂により形成されている。ボウル部６は、椀状に形成されている。ボウル部６の左右方向の側面は、底面に向かうほど平面視中央側に向かうよう傾斜している。ボウル部６は、水栓から吐出された湯水を受ける。水栓は、ボウル部６の上縁部に設けられている。
【００３３】
下部キャビネット７は、ボウル部６の下方に配置されている。下部キャビネット７は、ボウル部６を支持する。下部キャビネット７は、複数の引き出し部７１を有している。
【００３４】
サイドミラー４が側方収納部２２を閉じた状態で、スポット発光部５５が光を発すると、その光は、ボウル部６に照射される。ボウル部６は、白色をしているため、多くの光量を反射させることができる。これにより、ミラーキャビネット１の下方をより一層明るくすることができる。さらに、スポット発光部５５は、ボウル部６の傾斜した側面にも多くの光を当てる。このため、ユーザーがボウル部６で作業する際に、ユーザーの左右両側の下方からも光を当てることができる。
【００３５】
以上説明したように、本実施形態のミラーキャビネット１は、キャビネット本体２の前方にセンターミラー３とサイドミラー４とが開閉自在に設けられている。サイドミラー４は、閉じた状態において幅方向のうち前記センターミラー３側の端部が中央側端部４３として定義される。サイドミラー４は、鏡付き板部４１と、支持連結部４２と、棒状照明具５とを備えている。鏡付き板部４１は、鏡面４１０を有している。支持連結部４２は、一端がキャビネット本体２の左右方向の端部に回動自在に連結され、且つ、その他端が、鏡付き板部４１の中央側端部４３に回動自在に連結されている。支持連結部４２は、これにより鏡付き板部４１を支持する。棒状照明具５は、鏡付き板部４１の中央側端部４３の端縁に沿って設けられている。棒状照明具５は、線状発光部５４と、スポット発光部５５とを有している。線状発光部５４は、鏡付き板部４１の上下方向に沿った発光領域を有する。スポット発光部５５は、鏡付き板部４１の下方に向かって発光する。
【００３６】
本実施形態のミラーキャビネット１によれば、ユーザーは、鏡付き板部４１と共に棒状照明具５を移動させることができるため、線状発光部５４の位置を調節することができる。これにより、例えば、ユーザーは、光を近づけたい場合に、簡単に棒状照明具５を移動させて近づけることができたり、眩しくない位置に光を移動させたりすることができる。しかも、棒状照明具５は、鏡付き板部４１の下方に向かって発光するスポット発光部５５を有しているため、棒状照明具５を移動させることで、ユーザーは、手元においても所望の部位に光を当てることができる。
【００３７】
しかも、サイドミラー４が閉じた状態では、線状発光部５４からの光は、ユーザーに対して、正面から光を当てる。このため、本実施形態のミラーキャビネット１によれば、ユーザーに正面側から上から下までほぼ均一に光を当てながら、または上から下まで最適な光量分布の光を当てながら、それでいて、眩し過ぎないようにすることができる。この結果、光を効率よく活用できるため、より少ない電力で照度を得ることができる。
【００３８】
さらに、本実施形態のミラーキャビネット１は、導光部材５１の下端面がスポット発光部５５となっているため、手元照明のための照明装置を設置するためのスペースを省略することができる。
【００３９】
また、本実施形態のミラーキャビネット１は、支持連結部４２の内側面に鏡面４２０が設けられている。また、鏡付き板部４１が支持連結部４２から離れる側に回動すると、鏡付き板部４１の鏡面４１０と支持連結部４２の鏡面４２０とが連続した鏡面を構成し、しかも、鏡付き板部４１の鏡面４１０と支持連結部４２の鏡面４２０との間に棒状照明具５が配置される。このため、本実施形態のミラーキャビネット１によれば、ユーザーは、三面鏡として使用することができるだけでなく、サイドミラー４側から光を当てながら、広い範囲で鏡面を使用して、ユーザーの側部を見ることができる。
【００４０】
なお、本実施形態のミラーキャビネット１は、支持連結部４２の内側面に鏡面４２０が設けられていたが、本発明のミラーキャビネットにおいて、支持連結部には鏡面が設けられていなくてもよい。また、支持連結部４２は板状体でなくてもよく、例えば、棒状のアームにより構成されていてもよい。また、上下方向に沿った発光領域を有する線状発光部５４と、下方に向かって発光するスポット発光部５５とにそれぞれ光源５６を設け、この異なる光源５６により発光するようにしてもよい。
【符号の説明】
【００４１】
１      ミラーキャビネット
２      キャビネット本体
２１    中央収納部
２２    側方収納部
３      センターミラー
３１    鏡面
４      サイドミラー
４１    鏡付き板部
４１０  鏡面
４２    支持連結部
４２０  鏡面
４２１  第一端部
４２２  第二端部
４２３  第一軸支部
４２４  第二軸支部
４３    中央側端部
５      棒状照明具
５１    導光部材
５２    入射面
５３    光拡散部
５４    線状発光部
５５    スポット発光部
５６    光源
６      ボウル部
６１    水栓
７      下部キャビネット
７１    引き出し部
【図１】
2014030608.tif 000003
【図２】
2014030608.tif 000004
【図３】
2014030608.tif 000005
【図４】
2014030608.tif 000006
【図５】
2014030608.tif 000007